(57)【要約】【課題】インクミストに起因する不具合の発生をより確実に抑制しつつ駆動部を冷却することができるインクジェット記録装置を提供する。【解決手段】インクジェット記録装置は、入力される駆動信号に応じてノズルからインクを吐出するインク吐出ヘッドと、駆動信号をインク吐出ヘッドに出力する駆動部と、インク吐出ヘッド及び駆動部を格納するヘッド筐体と、を有し、ヘッド筐体の外部に露出したノズルからインクを記録媒体に吐出させて画像を形成する画像形成部と、少なくとも画像形成部を格納する本体筐体と、本体筐体の外部とヘッド筐体の内部とを繋ぐ通気管と、本体筐体の外部の空気を、通気管を介してヘッド筐体の内部に供給する空気供給部と、を備える。【選択図】図５
2020183055.tif 000002
【特許請求の範囲】
【請求項１】
入力される駆動信号に応じてノズルからインクを吐出するインク吐出ヘッドと、前記駆動信号を前記インク吐出ヘッドに出力する駆動部と、前記インク吐出ヘッド及び前記駆動部を格納するヘッド筐体と、を有し、前記ヘッド筐体の外部に露出した前記ノズルからインクを記録媒体に吐出させて画像を形成する画像形成部と、
少なくとも前記画像形成部を格納する本体筐体と、
前記本体筐体の外部と前記ヘッド筐体の内部とを繋ぐ通気管と、
前記本体筐体の外部の空気を、前記通気管を介して前記ヘッド筐体の内部に供給する空気供給部と、
を備えることを特徴とするインクジェット記録装置。
【請求項２】
前記ヘッド筐体には、前記駆動部に電気的に接続される配線を格納して案内する配線格納部材が取り付けられており、
前記通気管の少なくとも一部が前記配線格納部材に格納されていることを特徴とする請求項１に記載のインクジェット記録装置。
【請求項３】
前記空気供給部は、前記ヘッド筐体の内部の気圧が、前記ヘッド筐体の外部の気圧より高くなる供給量で、前記本体筐体の外部の空気を前記ヘッド筐体の内部に供給することを特徴とする請求項１又は２に記載のインクジェット記録装置。
【請求項４】
前記ヘッド筐体には、当該ヘッド筐体の内部と外部とを連通させる連通孔が設けられていることを特徴とする請求項３に記載のインクジェット記録装置。
【請求項５】
前記連通孔の位置及び向きは、当該連通孔から前記ヘッド筐体の外部への空気の流出方向が、前記ノズルからのインクの吐出方向と同じ向きの成分を有しないように定められていることを特徴とする請求項４に記載のインクジェット記録装置。
【請求項６】
前記連通孔には、前記ヘッド筐体の内部の気圧と前記ヘッド筐体の外部の気圧との差分が所定値を超えている場合に開放されて前記ヘッド筐体の内部と外部とを連通させる差圧調整弁が接続されていることを特徴とする請求項４又は５に記載のインクジェット記録装置。
【請求項７】
前記空気供給部は、前記本体筐体の外部の空気を前記通気管内に吸引する吸引ファンを有し、前記通気管のうち前記本体筐体側の端部に接続されていることを特徴とする請求項１〜６のいずれか一項に記載のインクジェット記録装置。
【請求項８】
前記駆動部は、前記駆動信号を出力する駆動回路を構成する電装部品を有し、
前記通気管は、当該通気管を介して前記ヘッド筐体の内部に供給される空気が前記電装部品に当たる位置及び向きに配置されていることを特徴とする請求項１〜７のいずれか一項に記載のインクジェット記録装置。
【請求項９】
前記駆動部は、前記駆動信号を出力する駆動回路が実装されている駆動基板を有し、
前記通気管は、当該通気管を介して前記ヘッド筐体の内部に供給される空気が前記駆動基板に当たる位置及び向きに配置されていることを特徴とする請求項１〜７のいずれか一項に記載のインクジェット記録装置。
【請求項１０】
前記駆動部は、前記駆動信号を出力する駆動回路に電力を供給する電源部を有し、
前記通気管は、当該通気管を介して前記ヘッド筐体の内部に供給される空気が前記電源部に当たる位置及び向きに配置されていることを特徴とする請求項１〜７のいずれか一項に記載のインクジェット記録装置。
【請求項１１】
前記本体筐体の外部の空気を冷却する空気冷却部を備え、
前記空気供給部は、前記空気冷却部により冷却された空気を前記ヘッド筐体の内部に供給することを特徴とする請求項１〜１０のいずれか一項に記載のインクジェット記録装置。
【発明の詳細な説明】
【技術分野】
【０００１】
本発明は、インクジェット記録装置に関する。
【背景技術】
【０００２】
従来、インク吐出ヘッドのノズルからインクを吐出して記録媒体の所望の位置に着弾させることで画像を形成するインクジェット記録装置がある。このようなインクジェット記録装置では、インク吐出ヘッドに対して駆動信号を出力する駆動部の動作熱により、駆動部の回路素子の特性が変化したり、動作熱がインクに伝わって粘度が変化したりすることで、記録画像の画質が低下してしまう場合がある。また、ノズルからのインク吐出に伴って生じたインクミストが駆動部に付着すると、駆動部の誤動作や寿命の短縮といった不具合の発生に繋がる。
【０００３】
これに対し、駆動部へのインクミストの付着を抑制しつつ、駆動部に対して送風を行って駆動部を冷却する技術が知られている。
例えば、特許文献１には、駆動部に放熱板を接続し、放熱板に対して送風を行うことで、駆動部に直接インクミストが付着するのを抑制しつつ駆動部を冷却する技術が開示されている。
また、特許文献２には、インクミストが送風ファンに至るまでの経路にセパレーターを設けて、駆動部に送風される空気にインクミストが混入するのを抑制する技術が開示されている。
また、特許文献３には、インク吐出ヘッドの上方に駆動部を配置し、ノズルから最も遠い上方から駆動部に対して送風を行うことで、駆動部に送風される空気にインクミストが混入するのを抑制する技術が開示されている。
【先行技術文献】
【特許文献】
【０００４】
【特許文献１】特開２０１６−１９８９２６号公報
【特許文献２】特開２０１６−１８２７６０号公報
【特許文献３】特開２００９−２２０４９９号公報
【発明の概要】
【発明が解決しようとする課題】
【０００５】
しかしながら、インクミストは、ノズルの近傍に留まらず、その周囲の空間に広く拡散するため、全てのインクミストの流動経路を意図どおりに制御することは実質的に不可能である。このため、特許文献１〜３のいずれの技術を用いても、送風される空気にインクミストが混入したり、送風される空気に混入したインクミストが駆動部に付着したりするのを十分に抑制することができない。よって、上記従来の技術では、インクミストに起因する不具合の発生を抑制しつつ駆動部を冷却するのが困難であるという課題がある。
【０００６】
この発明の目的は、インクミストに起因する不具合の発生をより確実に抑制しつつ駆動部を冷却することができるインクジェット記録装置を提供することにある。
【課題を解決するための手段】
【０００７】
上記目的を達成するため、請求項１に記載のインクジェット記録装置の発明は、
入力される駆動信号に応じてノズルからインクを吐出するインク吐出ヘッドと、前記駆動信号を前記インク吐出ヘッドに出力する駆動部と、前記インク吐出ヘッド及び前記駆動部を格納するヘッド筐体と、を有し、前記ヘッド筐体の外部に露出した前記ノズルからインクを記録媒体に吐出させて画像を形成する画像形成部と、
少なくとも前記画像形成部を格納する本体筐体と、
前記本体筐体の外部と前記ヘッド筐体の内部とを繋ぐ通気管と、
前記本体筐体の外部の空気を、前記通気管を介して前記ヘッド筐体の内部に供給する空気供給部と、
を備えることを特徴としている。
【０００８】
請求項２に記載の発明は、請求項１に記載のインクジェット記録装置において、
前記ヘッド筐体には、前記駆動部に電気的に接続される配線を格納して案内する配線格納部材が取り付けられており、
前記通気管の少なくとも一部が前記配線格納部材に格納されていることを特徴としている。
【０００９】
請求項３に記載の発明は、請求項１又は２に記載のインクジェット記録装置において、
前記空気供給部は、前記ヘッド筐体の内部の気圧が、前記ヘッド筐体の外部の気圧より高くなる供給量で、前記本体筐体の外部の空気を前記ヘッド筐体の内部に供給することを特徴としている。
【００１０】
請求項４に記載の発明は、請求項３に記載のインクジェット記録装置において、
前記ヘッド筐体には、当該ヘッド筐体の内部と外部とを連通させる連通孔が設けられていることを特徴としている。
【００１１】
請求項５に記載の発明は、請求項４に記載のインクジェット記録装置において、
前記連通孔の位置及び向きは、当該連通孔から前記ヘッド筐体の外部への空気の流出方向が、前記ノズルからのインクの吐出方向と同じ向きの成分を有しないように定められていることを特徴としている。
【００１２】
請求項６に記載の発明は、請求項４又は５に記載のインクジェット記録装置において、
前記連通孔には、前記ヘッド筐体の内部の気圧と前記ヘッド筐体の外部の気圧との差分が所定値を超えている場合に開放されて前記ヘッド筐体の内部と外部とを連通させる差圧調整弁が接続されていることを特徴としている。
【００１３】
請求項７に記載の発明は、請求項１〜６のいずれか一項に記載のインクジェット記録装置において、
前記空気供給部は、前記本体筐体の外部の空気を前記通気管内に吸引する吸引ファンを有し、前記通気管のうち前記本体筐体側の端部に接続されていることを特徴としている。
【００１４】
請求項８に記載の発明は、請求項１〜７のいずれか一項に記載のインクジェット記録装置において、
前記駆動部は、前記駆動信号を出力する駆動回路を構成する電装部品を有し、
前記通気管は、当該通気管を介して前記ヘッド筐体の内部に供給される空気が前記電装部品に当たる位置及び向きに配置されていることを特徴としている。
【００１５】
請求項９に記載の発明は、請求項１〜７のいずれか一項に記載のインクジェット記録装置において、
前記駆動部は、前記駆動信号を出力する駆動回路が実装されている駆動基板を有し、
前記通気管は、当該通気管を介して前記ヘッド筐体の内部に供給される空気が前記駆動基板に当たる位置及び向きに配置されていることを特徴としている。
【００１６】
請求項１０に記載の発明は、請求項１〜７のいずれか一項に記載のインクジェット記録装置において、
前記駆動部は、前記駆動信号を出力する駆動回路に電力を供給する電源部を有し、
前記通気管は、当該通気管を介して前記ヘッド筐体の内部に供給される空気が前記電源部に当たる位置及び向きに配置されていることを特徴としている。
【００１７】
請求項１１に記載の発明は、請求項１〜１０のいずれか一項に記載のインクジェット記録装置において、
前記本体筐体の外部の空気を冷却する空気冷却部を備え、
前記空気供給部は、前記空気冷却部により冷却された空気を前記ヘッド筐体の内部に供給することを特徴としている。
【発明の効果】
【００１８】
本発明に従うと、インクミストに起因する不具合の発生をより確実に抑制しつつ駆動部を冷却することができるという効果がある。
【図面の簡単な説明】
【００１９】
【図１】インクジェット記録装置を示す斜視図である。
【図２】画像形成部の構成を示す図である。
【図３】キャリッジの内部構成を示す図である。
【図４】一のヘッド群の構成を示す模式図である。
【図５】インクジェット記録装置の給気機構の構成を示す図である。
【図６】配線格納部材の断面を示す図である。
【図７】インクジェット記録装置の機能構成を示すブロック図である。
【図８】変形例１に係るキャリッジの内部を−Ｘ方向側から見た断面図である。
【図９】変形例２に係るインクジェット記録装置の給気機構の構成を示す図である。
【発明を実施するための形態】
【００２０】
以下、本発明のインクジェット記録装置に係る実施の形態を図面に基づいて説明する。
【００２１】
図１は、本発明の実施形態であるインクジェット記録装置１を示す斜視図である。
インクジェット記録装置１は、ここでは、主に業務用、産業用に用いられる大型サイズの記録媒体や、布帛といった特定材質の記録媒体に対して高速高精度で画像形成が可能なものであって、本体筐体２と、媒体供給部３と、媒体排出部４と、画像形成部１０などを備える。
【００２２】
媒体供給部３は、画像形成対象の記録媒体を保持し、適切なタイミングで画像形成部１０に供給する。記録媒体としては、各種記録紙（カット紙又は連帳紙）、布帛や、膜状あるいは板状の樹脂素材など種々の周知のものが挙げられる。これらのうち、特定のものが対象とされても良いし、複数の種類の記録媒体が切り替えられて画像形成対象として設定可能であっても良い。
【００２３】
画像形成部１０は、インクを吐出するノズルが設けられたインク吐出ヘッドと、記録媒体を搬送する搬送部などを備える。画像形成部１０は、搬送部により搬送される記録媒体に対して、記録対象の画像データに応じてインク吐出ヘッドのノズルからインクを吐出させることで、記録媒体に画像を形成する。画像が形成された記録媒体は、媒体排出部４に排出される。
【００２４】
本体筐体２は、インクジェット記録装置１のうち少なくとも画像形成部１０を格納する。これにより、搬送部やインク吐出ヘッドの動作部分が外部から隔離される。また、この本体筐体２は、画像形成時に強い外部からの空気の流れ（風）がインク吐出ヘッドのノズル開口部、インク吐出ヘッドから吐出されるインクや記録媒体に対して直接当たってインクの粘性、飛翔経路や定着状態などに影響を及ぼすのを防ぐ。本体筐体２は、必ずしも完全な密閉構造でなくても良いが、少なくとも画像形成部１０において生じた後述するインクミストが外部に漏出しない構造となっていることが望ましい。
【００２５】
図２は、本体筐体２に格納されている画像形成部１０の構成を示す図である。
画像形成部１０は、インク吐出ヘッド１２１（図３参照）を格納するキャリッジ１１（ヘッド筐体）と、搬送部１４などを備える。
【００２６】
搬送部１４は、図２のＸ方向に延びる回転軸を中心に回転する複数の搬送ローラー１４２（図５参照）により内側が支持された輪状の搬送ベルト１４１を備える。搬送部１４は、搬送ベルト１４１の搬送面上に記録媒体Ｍが載置された状態で搬送ローラー１４２が搬送モーターの動作に応じて回転して搬送ベルト１４１が周回移動することで、記録媒体Ｍを搬送ベルト１４１の移動方向（図２のＹ方向）に搬送する。
搬送部１４は、媒体供給部３に供給された記録媒体Ｍを本体筐体２内に移動させるために媒体供給部３に設けられた供給ベルトや、画像が形成された記録媒体Ｍを媒体排出部４に移動させるために媒体排出部４に設けられた排出ベルトとは別個のものとすることができ、このような構成では、供給ベルトから搬送ベルト１４１に記録媒体Ｍが受け渡され、また搬送ベルト１４１から排出ベルトに記録媒体Ｍが受け渡される。ただし、搬送部１４の搬送ベルト１４１を媒体供給部３及び媒体排出部４まで延設して、搬送ベルト１４１が供給ベルト及び排出ベルトを兼ねる構成としても良い。この場合には、搬送ベルト１４１のうち画像の形成に用いられる部分が、画像形成部１０における記録媒体Ｍの搬送部を構成する。
【００２７】
キャリッジ１１は、一の直方体に、当該一の直方体よりＹ方向の長さが長い直方体を重ねて得られる外形を有する筐体である。換言すれば、キャリッジ１１は、直方体のうち上側の略半分を、＋Ｙ方向及び−Ｙ方向に突出させた形状を有する筐体である。
また、キャリッジ１１のうち＋Ｙ方向及び−Ｙ方向に突出した部分（以下では突出部１１ｂと記す）には、−Ｘ方向に向いた面に、各種の配線や通気管をまとめて格納して保護及び案内する配線格納部材５０（配線格納部材）が接続されている。配線格納部材５０は、突出部１１ｂから−Ｘ方向に引き出され、下方に曲げられて１８０度反転し、突出部１１ｂの下方の空隙を通って＋Ｘ方向に引き出されている。配線格納部材５０としては、例えばケーブルベア（登録商標）を用いることができる。
また、キャリッジ１１の上面（＋Ｚ方向に向いた面）には、キャリッジ１１の内部と外部とを連通させる複数の連通孔１１ａが設けられている。キャリッジ１１は、樹脂や金属といった空気を通さない材質で構成されており、キャリッジ１１のうち連通孔１１ａを除いた部分は気密性を有した状態で密閉されている。
また、キャリッジ１１は、Ｘ方向に延在する案内部材（図示略）に沿って、キャリッジ移動部１６（図７参照）によりＸ方向に往復移動可能に設けられている。
【００２８】
図３は、キャリッジ１１の内部構成を示す図である。このうち図３（ａ）は、キャリッジ１１の内部を上方から（＋Ｚ方向側から）見た断面図であり、図３（ｂ）は、キャリッジ１１の内部を−Ｘ方向側から見た断面図である。
キャリッジ１１の内部には、入力される駆動信号に応じてノズルからインクを吐出する複数のインク吐出ヘッド１２１と、駆動信号をインク吐出ヘッド１２１に出力する駆動部１３などが格納されている。
【００２９】
キャリッジ１１の内部では、イエロー（Ｙ）のインクを吐出する４つのインク吐出ヘッド１２１がＹ方向に沿って千鳥格子状に配列されて、イエローの画像を形成するためのヘッド群１２Ｙを構成している。
また、マゼンタ（Ｍ）のインクを吐出する４つのインク吐出ヘッド１２１がＹ方向に沿って千鳥格子状に配列されて、マゼンタの画像を形成するためのヘッド群１２Ｍを構成している。
また、シアン（Ｃ）のインクを吐出する４つのインク吐出ヘッド１２１がＹ方向に沿って千鳥格子状に配列されて、シアンの画像を形成するためのヘッド群１２Ｃを構成している。
また、ブラック（Ｋ）のインクを吐出する４つのインク吐出ヘッド１２１がＹ方向に沿って千鳥格子状に配列されて、ブラックの画像を形成するためのヘッド群１２Ｋを構成している。
以下では、ヘッド群１２Ｙ、１２Ｍ、１２Ｃ、１２Ｋのうち任意の１つを指して、ヘッド群１２とも記す。また、ヘッド群１２を構成するインク吐出ヘッド１２１の数は４つに限られず、３つ以下又は５つ以上であっても良い。
【００３０】
各インク吐出ヘッド１２１は、ノズルの開口部がキャリッジ１１の下面（−Ｚ方向に向いた面、すなわち搬送ベルト１４１に対向する面）から露出しており、キャリッジ１１に格納された状態で搬送ベルト１４１の搬送面上の記録媒体Ｍに対してインクを吐出することができるようになっている。
【００３１】
図４は、一のヘッド群１２の構成を示す模式図であり、キャリッジ１１の下面のうち一のヘッド群１２に対応する部分を搬送ベルト１４１に相対する側から見た平面図である。
図４に示すように、ヘッド群１２を構成する各インク吐出ヘッド１２１では、複数のノズルＮが、キャリッジ１１の移動方向（Ｘ方向）と直行する方向（Ｙ方向）に等間隔に配列されている。詳しくは、各インク吐出ヘッド１２１は、Ｙ方向に等間隔に一次元配列されたノズルＮの列（ノズル列）を４つ有している。これらの４つのノズル列は、ノズルＮのＹ方向についての位置が重ならないように幅方向の位置が互いにずらされて配置されている。また、ヘッド群１２を構成する４つのインク吐出ヘッド１２１は、ノズルＮの幅方向についての配置範囲が連続するように千鳥格子状に配置されている。
なお、インク吐出ヘッド１２１が有するノズル列の数は４つに限られず、３つ以下又は５つ以上であっても良い。
【００３２】
各ノズルＮは、インクを貯留する圧力室に連通している。この圧力室の壁面に設けられた圧電素子に対して駆動信号が印加されて、圧電素子（すなわち圧力室）が変形することで、圧力室内のインクに圧力変動が生じてノズルＮからインクが吐出される。
【００３３】
図３（ａ）及び図３（ｂ）に示すように、キャリッジ１１に格納される駆動部１３は、駆動基板１３１及び電源部１３２を有する。
駆動基板１３１には、上述の駆動信号を生成して出力する駆動回路が実装されている。詳しくは、駆動基板１３１には、駆動回路を構成する複数の電装部品１３１ａが実装されている。電装部品１３１ａには、ディスクリート回路を構成する部品や、半導体集積回路が含まれ得る。なお、電装部品１３１ａの少なくとも一部が駆動基板１３１以外の部材に実装されていても良い。
図３（ａ）の例では、４つのヘッド群１２に対応して４つの駆動基板１３１が設けられている。また、各駆動基板１３１は、対応するヘッド群１２の−Ｙ方向側に配置されており、図示しないケーブル配線を介して、ヘッド群１２の各インク吐出ヘッド１２１と接続されている。ただし、駆動基板１３１は、一のヘッド群１２に対して複数設けられていても良く、例えばインク吐出ヘッド１２１ごとに設けられていても良い。
【００３４】
電源部１３２は、外部からの入力電圧を所定の電圧に変換して駆動部１３の各部に出力する。電源部１３２は、ここでは４つのヘッド群１２に対して駆動基板１３１とは反対側（＋Ｙ方向側）に設けられている。
【００３５】
なお、図３（ａ）及び図３（ｂ）に示したキャリッジ１１内の各部材の位置関係は一例であり、これに限定する趣旨ではない。また、キャリッジ１１のうち、インク吐出ヘッド１２１、駆動基板１３１及び電源部１３２の上方のスペースに、他の部材、例えばインク吐出ヘッド１２１に供給されるインクを貯留するインクタンクなどが格納されていても良い。
【００３６】
画像形成部１０は、インク吐出ヘッド１２１を保持するキャリッジ１１を、図２に示す矢印に沿ってＸ方向に移動させながら各インク吐出ヘッド１２１からインクを吐出させる動作（主走査）を行うことで、記録媒体ＭのＹ方向についての所定範囲（ノズルＮが形成されている範囲）の帯状領域にインクを着弾させて画像を形成する。画像形成部１０は、この主走査と、搬送部１４により記録媒体ＭをＹ方向に所定距離搬送する動作（副走査）とを繰り返し行うことで、記録媒体Ｍの所定の領域に画像を形成する。
【００３７】
インク吐出ヘッド１２１のノズルＮからインクが吐出されると、画像の形成に用いられるインクの液滴の他に、インクミスト（微小な霧状のインク）が生じる。インクミストは、キャリッジ１１と搬送ベルト１４１との間の空間に浮遊して滞留するほか、キャリッジ１１の周囲を含む本体筐体２の内部に拡散され得る。このインクミストがキャリッジ１１の内部に侵入して駆動部１３（特に駆動基板１３１や電装部品１３１ａ）に付着すると、駆動部１３の誤動作や寿命の短縮といった不具合の発生に繋がる。
この問題に対し、キャリッジ１１を完全な密閉構造としてインクミストの侵入を防ぐと、駆動部１３の動作熱がキャリッジ１１の内部に籠りやすくなる。駆動部１３の動作熱によりキャリッジ１１の内部温度が上昇すると、駆動部１３の回路素子の特性が変化したり、インクの粘度が変化したりすることで、記録画像の画質の低下に繋がる。
【００３８】
そこで、本実施形態のインクジェット記録装置１では、本体筐体２の外部からキャリッジ１１の内部に直接空気を供給することで、キャリッジ１１の内部の気圧を高めてインクミストの侵入を防ぎつつ、供給した空気によりキャリッジ１１の内部を冷却することができるようになっている。以下では、本体筐体２の外部からキャリッジ１１の内部に空気を供給するための給気機構について説明する。
【００３９】
図５は、インクジェット記録装置１の給気機構の構成を示す図である。この図は、インクジェット記録装置１の、キャリッジ１１を通る位置でのＹ方向に垂直な断面を示している。
図５に示すように、キャリッジ１１には、本体筐体２の外部とキャリッジ１１の内部とを繋ぐ通気管５１（エアチューブ）が接続されている。また、通気管５１の本体筐体２側の端部には、本体筐体２の外部の空気を、通気管５１を介してキャリッジ１１の内部に供給する空気供給部２０が接続されている。ここでは、空気供給部２０は、本体筐体２の壁面に埋め込まれている。また、空気供給部２０は、吸引ファン２１を有し、当該吸引ファン２１により、本体筐体２の外部の空気を、通気管５１のうち本体筐体２側の端部の開口から通気管５１内に吸引する。
【００４０】
通気管５１は、上述した配線格納部材５０の内部に格納されて案内されている。
図６は、配線格納部材５０の断面を示す図である。図６には、図２に示す一対の配線格納部材５０のうち一方の断面が示されているが、他方の配線格納部材５０の構成も同様である。
図６に示すように、配線格納部材５０は、ケーブル類を格納可能な複数の格納空間を構成する仕切部材５０１を有し、仕切部材５０１により構成される格納空間に、通気管５１と、駆動部１３に電気的に接続される複数の配線５２と、が格納されている。通気管５１は、ここでは２本用いられているが、通気管５１の本数はこれに限られず、キャリッジ１１の内部への空気の供給量などに応じて１本や３本以上とされていても良い。通気管５１及び配線５２は、配線格納部材５０に格納されて案内され、キャリッジ１１に接続される。
なお、通気管５１と配線５２とは、図５に示すように、キャリッジ１１から本体筐体２に至る経路の途中で分岐し、分岐後の配線５２は、本体筐体２の内部にある所定の接続先に接続される。また、分岐後の通気管５１及び配線５２のうち一方が配線格納部材５０に格納され、他方については他の配線格納部材に格納されても良いし、配線格納部材に格納されない状態で延設されても良い。したがって、通気管５１は、その全体が配線格納部材５０に格納されていても良いし、一部のみが配線格納部材５０に格納されていても良い。
あるいは、図５のように通気管５１と配線５２とを分岐させず、双方を本体筐体２の外部まで延設させる構成としても良い。
【００４１】
空気供給部２０は、キャリッジ１１の内部の気圧が、キャリッジ１１の外部の気圧より高くなる供給量で、本体筐体２の外部の空気をキャリッジ１１の内部に供給する。このため、キャリッジ１１の連通孔１１ａからは、キャリッジ１１の内外の圧力差に応じて空気が常に外部に流出する状態となる。これにより、連通孔１１ａを介したキャリッジ１１の内部へのインクミストの侵入が抑制される。空気供給部２０による空気の供給量、及び当該供給量に応じたキャリッジ１１の内部の気圧は、吸引ファン２１の回転速度を変更することで調整することができる。
【００４２】
ここで、連通孔１１ａの位置及び向きは、連通孔１１ａからキャリッジ１１の外部への空気の流出方向が、ノズルＮからのインクの吐出方向（−Ｚ方向）と同じ向きの成分を有しないように定められている。本実施形態では、図２に示すように、キャリッジ１１の上面にのみ連通孔１１ａが設けられており、連通孔１１ａからの空気の流出方向は、＋Ｚ方向の成分を有する。これにより、ノズルＮから吐出されたインクの飛翔方向や速度が、連通孔１１ａから流出した空気により影響される不具合の発生が抑制される。
なお、インク吐出への影響が抑制される範囲内で、キャリッジ１１の側面などに連通孔１１ａが設けられていても良い。
【００４３】
また、キャリッジ１１の内部の温度は、駆動部１３の動作熱により、環境温度（本体筐体２の外部温度）よりも高くなるが、空気供給部２０により、環境温度となっている本体筐体２の外部の空気をキャリッジ１１に供給することで、キャリッジ１１の内部を冷却する効果が得られる。
【００４４】
また、配線格納部材５０により案内されてキャリッジ１１に接続された通気管５１は、図３（ａ）及び図３（ｂ）に示すように、キャリッジ１１の内部では、所定の部材に対して送風を行うように位置及び向きが定められている。
詳しくは、図３（ａ）及び図３（ｂ）の右側の配線格納部材５０に案内されてキャリッジ１１に接続された２本の通気管５１は、当該通気管５１を介してキャリッジ１１の内部に供給される空気が駆動基板１３１及び電装部品１３１ａに当たる位置及び向きに配置されている。また、図３（ａ）及び図３（ｂ）の左側の配線格納部材５０に案内されてキャリッジ１１に接続された２本の通気管５１は、当該通気管５１を介してキャリッジ１１の内部に供給される空気が電源部１３２に当たる位置及び向きに配置されている。これにより、動作熱が生じる駆動基板１３１、電装部品１３１ａ及び電源部１３２が効果的に冷却されるようになっている。
なお、図３（ａ）及び図３（ｂ）では、キャリッジ１１の内部で駆動基板１３１、電装部品１３１ａ及び電源部１３２の付近まで通気管５１が延設されているが、これに限られない。すなわち、駆動基板１３１、電装部品１３１ａ及び電源部１３２の近傍位置で通気管５１をキャリッジ１１に接続し、キャリッジ１１の内部までは通気管５１を延設しないようにしても良い。
【００４５】
図７は、インクジェット記録装置１の機能構成を示すブロック図である。
インクジェット記録装置１は、ヘッド制御部１５、インク吐出ヘッド１２１、キャリッジ移動部１６、搬送駆動部１７及び搬送ローラー１４２を有する画像形成部１０と、吸引ファン駆動部２２及び吸引ファン２１を有する空気供給部２０と、ＣＰＵ３１（Central Processing Unit）、ＲＡＭ３２（Random Access Memory）及び記憶部３３を有する制御部３０と、操作表示部４１と、通信部４２などを備え、これらは、バス４３を介して信号を送受信可能に接続されている。
【００４６】
制御部３０は、インクジェット記録装置１の全体動作を統括制御する。
ＣＰＵ３１は、記憶部３３に記憶されている制御プログラムを読み出して画像形成やその設定などに係る各種制御処理を行う。
ＲＡＭ３２は、ＣＰＵ３１に作業用のメモリー空間を提供し、一時データを記憶する。
記憶部３３は、制御プログラムや設定データなどを記憶する不揮発性メモリーを含む。また、記憶部３３は、通信部４２を介して外部から取得された画像形成命令（プリントジョブ）に係る設定や記録画像の画像データなどを一時的に記憶するＤＲＡＭなどを備えても良い。
【００４７】
画像形成部１０のヘッド制御部１５は、制御部３０から供給される制御信号に基づいて、駆動部１３に対して各種制御信号や画像データを適切なタイミングで出力し、これによりインク吐出ヘッド１２１のノズルＮからインクを吐出させる。
【００４８】
キャリッジ移動部１６は、制御部３０から供給される制御信号に基づいて、キャリッジ１１をＸ方向に移動させる移動機構のモーターやブレーキに駆動信号を出力し、上述の主走査に係るキャリッジ１１の移動を行う。
【００４９】
搬送駆動部１７は、制御部３０から供給される制御信号に基づいて、搬送ローラー１４２を回転させる搬送モーターを動作させて搬送ローラー１４２を適切な速度及びタイミングで回転させ、搬送ベルト１４１を周回移動させる。
【００５０】
空気供給部２０の吸引ファン駆動部２２は、制御部３０から供給される制御信号に基づいて吸引ファン２１の回転モーターを動作させて吸引ファン２１を回転動作させる。吸引ファン駆動部２２による吸引ファン２１の回転速度は、予め設定されていても良いし、操作表示部４１に対するユーザーからの入力操作などに応じて変更可能とされていても良い。
【００５１】
操作表示部４１は、画像形成に係るステータス情報やメニューなどを表示させるとともに、ユーザーからの入力操作を受け付ける。操作表示部４１は、例えば、液晶パネルによる表示画面及び当該液晶パネルのドライバーと、液晶画面上に重ねて設けられたタッチパネルなどを備え、ユーザーによりタッチ操作がなされた位置と操作の種別に応じた操作検出信号を制御部３０に出力する。
【００５２】
通信部４２は、所定の通信規格に従って外部機器とのデータの送受信を行う。通信部４２は、利用とする通信規格に係る接続端子及び通信接続に係るドライバーのハードウェア（ネットワークカード）などを備える。
【００５３】
（変形例１）
続いて上記実施形態の変形例１について説明する。本変形例は、キャリッジ１１の内部の気圧を一定にするための差圧調整弁６０が設けられている点で上記実施形態と異なる。以下では、上記実施形態との相違点について説明する。
【００５４】
図８は、変形例１に係るキャリッジ１１の内部を−Ｘ方向側から見た断面図である。
本変形例のキャリッジ１１では、上面に１つの連通孔１１ａが設けられており、この連通孔１１ａの外部に差圧調整弁６０が接続されている。差圧調整弁６０は、キャリッジ１１の内部の気圧と外部の気圧との差分が所定値を超えている場合に開放され、当該差分が所定値未満である場合に閉止される。よって、キャリッジ１１の内部の気圧が所定値となるまでは、差圧調整弁６０が閉止された状態に維持され、通気管５１からの空気の供給によりキャリッジ１１の内部の気圧が増大する。キャリッジ１１の内部の気圧が所定値を超えると、差圧調整弁６０が開放され、連通孔１１ａから空気が外部に流出し、気圧が所定値未満に低下すると再び差圧調整弁６０が閉止される。この動作が繰り返されることで、キャリッジ１１の内部の気圧を所定値近傍に維持することができる。
【００５５】
（変形例２）
続いて上記実施形態の変形例２について説明する。本変形例のインクジェット記録装置１は、キャリッジ１１に供給される空気を冷却する空気冷却部７０を備えている点で上記実施形態と異なる。以下では、上記実施形態との相違点について説明する。
【００５６】
図９は、変形例２に係るインクジェット記録装置１の給気機構の構成を示す図である。
本変形例では、本体筐体２の外部のうち空気供給部２０に隣接する位置に、本体筐体２の外部の空気を冷却する空気冷却部７０が設けられている。空気冷却部７０は、例えば冷媒を介した熱の移動により空気を冷却する空調機（エアコン）である。空気冷却部７０により冷却された空気は、空気供給部２０に送られ、空気供給部２０は、当該冷却された空気を、通気管５１を介してキャリッジ１１の内部に送出する。これにより、キャリッジ１１の内部をより効果的に冷却することが可能となる。
なお、空気冷却部７０を空気供給部２０から離れた位置に設けて、空気冷却部７０により冷却された空気を配管などにより空気供給部２０に供給する構成としても良い。また、空気冷却部７０により、本体筐体２の外部全体の空気を冷却可能である場合には、上記配管を省略しても良い。
【００５７】
以上のように、本実施形態に係るインクジェット記録装置１は、入力される駆動信号に応じてノズルＮからインクを吐出するインク吐出ヘッド１２１と、駆動信号をインク吐出ヘッド１２１に出力する駆動部１３と、インク吐出ヘッド１２１及び駆動部１３を格納するヘッド筐体としてのキャリッジ１１と、を有し、キャリッジ１１の外部に露出したノズルＮからインクを記録媒体Ｍに吐出させて画像を形成する画像形成部１０と、少なくとも画像形成部１０を格納する本体筐体２と、本体筐体２の外部とキャリッジ１１の内部とを繋ぐ通気管５１と、本体筐体２の外部の空気を、通気管５１を介してキャリッジ１１の内部に供給する空気供給部２０と、を備える。
このような構成によれば、インク吐出ヘッド１２１のノズルからのインク吐出に伴ってインクミストが生じても、インクミストのない本体筐体２の外部の空気を直接キャリッジ１１の内部に供給することができる。このため、駆動部１３に対するインクミストの付着を避けつつ駆動部１３に対して送風して駆動部１３を冷却することができる。また、キャリッジ１１の内部の温度は、駆動部１３の動作熱により、環境温度（本体筐体２の外部温度）よりも高くなるが、空気供給部２０により、環境温度となっている本体筐体２の外部の空気をキャリッジ１１に供給することで、キャリッジ１１の内部を効果的に冷却することができる。よって、上記構成によれば、インクミストに起因する不具合の発生をより確実に抑制しつつ駆動部１３を冷却することができる。
【００５８】
また、キャリッジ１１には、駆動部１３に電気的に接続される配線５２を格納して案内する配線格納部材５０が取り付けられており、通気管５１の少なくとも一部が配線格納部材５０に格納されている。このように、通気管５１及び配線５２で配線格納部材５０を共用することで、通気管５１のための別個の配線格納部材５０が不要となる。よって、インクジェット記録装置１の構成を簡素化することができ、製造コストの上昇を抑えることができる。
【００５９】
また、空気供給部２０は、キャリッジ１１の内部の気圧が、キャリッジ１１の外部の気圧より高くなる供給量で、本体筐体２の外部の空気をキャリッジ１１の内部に供給する。これによれば、キャリッジ１１が完全な密閉構造ではなく、連通孔１１ａなどにより外部と連通している構造であっても、キャリッジ１１の内外の圧力差に応じて空気が常に外部に流出する状態となるため、連通孔１１ａなどを介したキャリッジ１１の内部へのインクミストの侵入を確実に抑えることができる。
【００６０】
また、キャリッジ１１には、当該キャリッジ１１の内部と外部とを連通させる連通孔１１ａが設けられている。これによれば、駆動部１３の動作熱により温度が上昇したキャリッジ１１の内部の空気を、連通孔１１ａから外部に排出することができるため、キャリッジ１１の内部及び駆動部１３をより効果的に冷却することができる。
【００６１】
また、連通孔１１ａの位置及び向きは、当該連通孔１１ａからキャリッジ１１の外部への空気の流出方向が、ノズルＮからのインクの吐出方向と同じ向きの成分を有しないように定められている。これによれば、ノズルＮから吐出されたインクの飛翔方向や速度が、連通孔１１ａから流出した空気により影響される不具合の発生を抑制することができる。
【００６２】
また、変形例１に係るインクジェット記録装置では、連通孔１１ａには、キャリッジ１１の内部の気圧とキャリッジ１１の外部の気圧との差分が所定値を超えている場合に開放されてキャリッジ１１の内部と外部とを連通させる差圧調整弁６０が接続されている。これによれば、空気供給部２０からの空気の供給量を細かく調整しなくても、キャリッジ１１の内部の気圧を所定値近傍に維持することができる。
【００６３】
また、空気供給部２０は、本体筐体２の外部の空気を通気管５１内に吸引する吸引ファン２１を有し、通気管５１のうち本体筐体２側の端部に接続されている。これによれば、吸引ファン２１をキャリッジ１１及びインク吐出ヘッド１２１から離隔させることができるため、吸引ファン２１の動作時の振動がインク吐出ヘッド１２１に伝わって画質が劣化する不具合の発生を抑制することができる。
【００６４】
また、駆動部１３は、駆動信号を出力する駆動回路を構成する電装部品１３１ａを有し、通気管５１は、当該通気管５１を介してキャリッジ１１の内部に供給される空気が電装部品１３１ａに当たる位置及び向きに配置されている。これによれば、動作熱が生じる電装部品１３１ａをより効果的に冷却することができる。
【００６５】
また、駆動部１３は、駆動信号を出力する駆動回路が実装されている駆動基板１３１を有し、通気管５１は、当該通気管５１を介してキャリッジ１１の内部に供給される空気が駆動基板１３１に当たる位置及び向きに配置されている。これによれば、動作熱が生じる駆動基板１３１をより効果的に冷却することができる。
【００６６】
また、駆動部１３は、駆動信号を出力する駆動回路に電力を供給する電源部１３２を有し、通気管５１は、当該通気管５１を介してキャリッジ１１の内部に供給される空気が電源部１３２に当たる位置及び向きに配置されている。これによれば、動作熱が生じる電源部１３２をより効果的に冷却することができる。
【００６７】
また、変形例２に係るインクジェット記録装置１は、本体筐体２の外部の空気を冷却する空気冷却部７０を備え、空気供給部２０は、空気冷却部７０により冷却された空気をキャリッジ１１の内部に供給する。これによれば、キャリッジ１１の内部をより効果的に冷却することができる。
【００６８】
なお、本発明は、上記実施形態及び各変形例に限られるものではなく、様々な変更が可能である。
例えば、上記実施形態では、ヘッド筐体として、インク吐出ヘッド１２１の移動（主走査）に用いられるキャリッジ１１を例に挙げて説明したが、ヘッド筐体はこれに限られず、インク吐出ヘッド１２１の移動に用いられない固定された筐体であっても良い。
【００６９】
また、上記実施形態では、本体筐体２が、インクジェット記録装置１のうち媒体供給部３及び媒体排出部４を除く全体を格納する例を用いて説明したが、これに限られない。本体筐体２は、インクジェット記録装置１のうち、画像形成部１０のみ、又は画像形成部１０を含む一部の構成要素のみを格納するものであっても良い。
【００７０】
また、空気供給部２０は、図５に示すように本体筐体２の壁面に埋め込まれた構成に限られず、例えば本体筐体２の外壁面上や内壁面上に設けられていても良い。また、空気供給部２０は、吸引ファン２１の振動が、インク吐出ヘッド１２１により形成される画像の画質に影響しない範囲で、よりキャリッジ１１に近い位置、すなわち本体筐体２の内部のうち通気管５１の途中に設けられていても良い。
【００７１】
また、空気供給部２０の構成は、吸引ファン２１を有するものに限られず、通気管５１内と、通気管５１の本体筐体２側の開口との間に気圧差を生じさせて当該開口から通気管５１内に空気を導入することが可能な任意の構成とすることができる。
【００７２】
また、キャリッジ１１の内部に気圧を検出する気圧検出部を設け、この気圧検出部による検出結果に応じて吸引ファン２１の回転速度を調整しても良い。例えば、キャリッジ１１の内部の気圧が所定の下限値を下回らないように吸引ファン２１の回転速度を調整しても良いし、キャリッジ１１の内部の気圧が所定の基準範囲内となるように吸引ファン２１の回転速度を調整しても良い。
【００７３】
また、キャリッジ１１の内部温度に対応する温度を検出する温度検出部をキャリッジ１１の内部又は近傍に設け、この温度検出部による検出結果に応じて吸引ファン２１の回転速度を調整しても良い。例えば、キャリッジ１１の内部温度が基準値を上回った場合に吸引ファン２１の回転速度を所定幅で増大させる調整を行っても良いし、キャリッジ１１の内部温度の変動に連動させて吸引ファン２１の回転速度を増減させても良い。
【００７４】
また、上記実施形態では、通気管５１の少なくとも一部が配線格納部材５０に格納されている例を用いて説明したが、これに限られず、他の手段により通気管５１の保護及び案内がなされている場合などでは、配線格納部材５０を省略しても良い。
【００７５】
また、上記実施形態では、画像形成部１０において、搬送ベルト１４１を備える搬送部１４により記録媒体Ｍを搬送する例を用いて説明したが、これに限定する趣旨ではなく、搬送部１４は、例えば回転する搬送ドラムの外周面上で記録媒体Ｍを保持して搬送するものであっても良い。
【００７６】
また、上記実施形態では、インク吐出ヘッド１２１をキャリッジ１１とともに主走査して画像を形成するインクジェット記録装置１を例に挙げて説明したが、これに限定する趣旨ではなく、記録媒体Ｍの幅方向についての画像の形成幅に亘ってノズル列が設けられたインク吐出ヘッド（ラインヘッド）を用いて、インク吐出ヘッドを移動させずに画像を形成するシングルパス方式のインクジェット記録装置に本発明を適用しても良い。
【００７７】
本発明のいくつかの実施形態を説明したが、本発明の範囲は、上述の実施の形態に限定されるものではなく、特許請求の範囲に記載された発明の範囲とその均等の範囲を含む。
【符号の説明】
【００７８】
１  インクジェット記録装置
２  本体筐体
３  媒体供給部
４  媒体排出部
１０  画像形成部
１１  キャリッジ（ヘッド筐体）
１１ａ  連通孔
１１ｂ  突出部
１２  ヘッド群
１２１  インク吐出ヘッド
１３  駆動部
１３１  駆動基板
１３１ａ  電装部品
１３２  電源部
１４  搬送部
１４１  搬送ベルト
１４２  搬送ローラー
１５  ヘッド制御部
１６  キャリッジ移動部
１７  搬送駆動部
２０  空気供給部
２１  吸引ファン
２２  吸引ファン駆動部
３０  制御部
３１  ＣＰＵ
３２  ＲＡＭ
３３  記憶部
４１  操作表示部
４２  通信部
４３  バス
５０  配線格納部材
５０１  仕切部材
５１  通気管
５２  配線
６０  差圧調整弁
７０  空気冷却部
Ｍ  記録媒体
Ｎ  ノズル
【図１】
2020183055.tif 000003
【図２】
2020183055.tif 000004
【図３】
2020183055.tif 000005
【図４】
2020183055.tif 000006
【図５】
2020183055.tif 000007
【図６】
2020183055.tif 000008
【図７】
2020183055.tif 000009
【図８】
2020183055.tif 000010
【図９】
2020183055.tif 000011